(57)【要約】【課題】印字内容を遮蔽可能とし、かつ１枚目の表面を印刷可能領域とする複写伝票用紙組を提供する。【解決手段】複数枚の伝票用紙を重ねてなり、１枚目の伝票用紙に印字されることによりサーマルカーボンを介して当該印字された内容を２枚目の伝票用紙に複写するようになっており、前記各伝票用紙同士が、その２辺である用紙両側縁部にて仮接着されている複写伝票用紙組であって、前記１枚目の伝票用紙は、裏面の所定の範囲に、所定の色のサーマルカーボン層が形成され、かつ当該サーマルカーボン層の色と略同色から成る印刷可能な用紙または透明性を有する印刷可能な用紙であり、前記２枚目の伝票用紙は、表面の所定の範囲に、前記１枚目の伝票用紙の裏面のサーマルカーボンをサーマルヘッドの発熱により溶解させることにより当該２枚目の伝票用紙の表面に印字内容が複写された時に、当該印字内容を識別可能にする色の複写層が形成されている。【選択図】図６
2013018223.tif 000002
【特許請求の範囲】
【請求項１】
複数枚の伝票用紙を重ねてなり、１枚目の伝票用紙に印字されることによりサーマルカーボンを介して当該印字された内容を２枚目の伝票用紙に複写するようになっており、前記各伝票用紙同士が、その２辺である用紙両側縁部にて仮接着されている複写伝票用紙組であって、
前記１枚目の伝票用紙は、裏面の所定の範囲に、所定の色のサーマルカーボン層が形成され、かつ当該サーマルカーボン層の色と略同色から成る印刷可能な用紙または透明性を有する印刷可能な用紙であり、
前記２枚目の伝票用紙は、表面の所定の範囲に、前記１枚目の伝票用紙の裏面のサーマルカーボンをサーマルヘッドの発熱により溶解させることにより当該２枚目の伝票用紙の表面に印字内容が複写された時に、当該印字内容を識別可能にする色の複写層が形成されていることを特徴とする複写伝票用紙組。
【請求項２】
前記複写層は、相対する前記サーマルカーボン層が形成される範囲に含まれるように形成されていることを特徴とする請求項１に記載の複写伝票用紙組。
【請求項３】
前記サーマルカーボン層の色は、白色であり、
前記複写層の色は、黒色、所定の濃度の灰色、所定の有彩色のいずれかであることを特徴とする請求項１または２に記載の複写伝票用紙組。
【請求項４】
前記複写層の色は、サーマルカーボン層の色と補色の関係にある色であることを特徴とする請求項１または２に記載の複写伝票用紙組。
【請求項５】
前記各伝票用紙同士は、前記用紙両側縁部にて所定の間隔で前記仮接着により複数箇所
点止めされており、更に前記用紙両側縁部と直交する辺である用紙下端部で前記用紙両側
縁部の近傍に前記仮接着による前記点止めが各々複数形成されていることを特徴とする請
求項１乃至４のいずれか１項に記載の複写伝票用紙組。
【請求項６】
複数枚の伝票用紙を重ねてなり、１枚目の伝票用紙に印字されることによりサーマルカーボンを介して当該印字された内容を２枚目の伝票用紙に複写するようになっており、前記各伝票用紙同士が、その２辺である用紙両側縁部にて仮接着されている複写伝票用紙組を、ハンディターミナルに付設されたプリンタで印刷する印刷方法であって、
前記１枚目の伝票用紙は、裏面の所定の範囲に、所定の色のサーマルカーボン層が形成され、かつ当該サーマルカーボン層の色と略同色から成る印刷可能な用紙または透明性を有する印刷可能な用紙であり、
前記２枚目の伝票用紙は、表面の所定の範囲に、前記１枚目の伝票用紙の裏面のサーマルカーボンをサーマルヘッドの発熱により溶解させることにより当該２枚目の伝票用紙の表面に印字内容が複写された時に、当該印字内容を識別可能にする色の複写層が形成されている複写伝票用紙組を、
前記ハンディターミナル用のプリンタの印字ヘッドとプラテンとの間に挟んで搬送し、該プラテンに沿って湾曲させて該印字ヘッドにより印刷することを特徴とする印刷方法。
【請求項７】
前記複写層は、相対する前記サーマルカーボン層が形成される範囲に含まれるように形成されていることを特徴とする請求項６に記載の印刷方法。
【請求項８】
前記サーマルカーボン層の色は、白色であり、
前記複写層の色は、黒色、所定の濃度の灰色、所定の有彩色のいずれかであることを特徴とする請求項６または７に記載の印刷方法。
【請求項９】
前記複写層の色は、サーマルカーボン層の色と補色の関係にある色であることを特徴とする請求項６または７に記載の印刷方法。
【請求項１０】
前記各伝票用紙同士は、前記用紙両側縁部にて所定の間隔で前記仮接着により複数箇所
点止めされており、更に前記用紙両側縁部と直交する辺である用紙下端部で前記用紙両側
縁部の近傍に前記仮接着による前記点止めが各々複数形成されていることを特徴とする請
求項６乃至９のいずれか１項に記載の印刷方法。
【発明の詳細な説明】
【技術分野】
【０００１】
本発明は、１枚目の伝票用紙にサーマルヘッドを接することで１枚目の伝票用紙の裏面
に設けられたサーマルカーボンを溶融させて印字することにより、これに重ね合わせた２
枚目以降の伝票用紙に印字内容を複写する複写伝票用紙組及びその印刷方法に関するものである。
【背景技術】
【０００２】
携帯型端末にプリンタを内蔵した、いわゆるハンディターミナルを用いて、水道・電気・ガス等の各種検針業務において検針結果を通知するために複写伝票用紙組に印字する業務が存在する。
【０００３】
特許文献１には、上記業務等において個人情報等のプライバシーにかかる情報を保護可能とする複写伝票用紙組が提案されている。
【先行技術文献】
【特許文献】
【０００４】
【特許文献１】特開２００９−２２０３２５号公報
【発明の概要】
【発明が解決しようとする課題】
【０００５】
しかしながら、特許文献１に記載の複写伝票用紙組は、１枚目に保護遮蔽模様が設けられていることから、当該領域を印刷スペースとして活用することには向いていないという問題がある。
【０００６】
そのため、特許文献１に記載の複写伝票用紙組では、当該領域に、例えば、広告等を印刷するという使い方をすることができなかった。
【０００７】
そこで、本願発明は、上記課題を解決するものであり、印字内容を遮蔽可能とし、かつ１枚目の表面を印刷可能領域とする複写伝票用紙組及びその印刷方法を提供することを目的とする。
【課題を解決するための手段】
【０００８】
本願発明は、複数枚の伝票用紙を重ねてなり、１枚目の伝票用紙に印字されることによりサーマルカーボンを介して当該印字された内容を２枚目の伝票用紙に複写するようになっており、前記各伝票用紙同士が、その２辺である用紙両側縁部にて仮接着されている複写伝票用紙組であって、前記１枚目の伝票用紙は、裏面の所定の範囲に、所定の色のサーマルカーボン層が形成され、かつ当該サーマルカーボン層の色と略同色から成る印刷可能な用紙または透明性を有する印刷可能な用紙であり、前記２枚目の伝票用紙は、表面の所定の範囲に、前記１枚目の伝票用紙の裏面のサーマルカーボンをサーマルヘッドの発熱により溶解させることにより当該２枚目の伝票用紙の表面に印字内容が複写された時に、当該印字内容を識別可能にする色の複写層が形成されていることを特徴とする。
【発明の効果】
【０００９】
本発明によれば、印字内容を遮蔽可能とし、かつ１枚目の表面を印刷可能領域とする複写伝票用紙組及びその印刷方法を提供することが可能となる。
【図面の簡単な説明】
【００１０】
【図１】本発明の複写伝票用紙組を印刷するためのハンディターミナルの外観を示す図である。
【図２】サーマルプリンタ２の側面の断面図である。
【図３】水道や電気やガスの検針員が使用する利用客に検針結果を通知するための検針通知伝票用紙綴りを示す斜視図である。
【図４】本発明の複写伝票用紙組を印刷するためのサーマルプリンタ２の部分上面図であり、プラテンローラ５１と紙センサ５４の水平位置を説明するための図面である。
【図５】本発明の複写伝票用紙組を印刷するためのハンディターミナル及び外付けのサーマルプリンタの外観を示す図である。
【図６】遮蔽用伝票用紙２０の表面及び裏面を示す平面図である。
【図７】印字用伝票用紙３０の表面及び裏面を示す平面図である。
【発明を実施するための形態】
【００１１】
以下に、本発明の好適な実施形態について図面を参照しつつ詳細に説明する。
【００１２】
本発明が適用された複写伝票用紙組の一例としてハンディターミナルを用いて水道や電気やガスの検針業務を行う際に、検針結果を通知するための検針通知伝票用紙及びその綴りを取り上げて説明する。
【００１３】
図１は、本発明の複写伝票用紙組を印刷するためのハンディターミナルの外観を示す図である。
【００１４】
図１に示すように、ハンディターミナル本体１は、サーマルプリンタ２を内蔵しており、又ＯＮ／ＯＦＦスイッチ３やキーボード４や液晶ディスプレイ５も取付けられている。
【００１５】
また、本体１右側面部には、バッテリー収納部６があり、同じく本体１右側面部に検針結果を記憶するためのメモリカード収納部７がある。
【００１６】
サーマルプリンタ２からは複写伝票用紙組９などの伝票が印刷されて紙送りされて出力される。また、サーマルプリンタ２の右側面には、図２に示すプラテンローラ５１を回転させるためのハンドル１２が取付けられている。
【００１７】
図２は、サーマルプリンタ２の側面の断面図である。
【００１８】
図２に示すように、複写伝票用紙組９は、用紙供給部５６から矢印５８の向きでサーマルプリンタ２に供給される。
【００１９】
その後、複写伝票用紙組９は、用紙供給部５６の奥の、プラテンローラ５１とピンチローラ５２との隙間を通り、ペーパガイドに沿って上向きに進み、紙センサ５４とプラテンローラ５１との間を通る。なお、紙センサ５４は、複写伝票用紙組９上のアイマーク８６（図３参照）によりページの区切り位置を検出したり、紙の有無（用紙切れ）を検出したりするためのものである。
【００２０】
さらに、複写伝票用紙組９は、サーマルヘッド５３とプラテンローラ５１との間を通り、サーマルヘッド５３を通る際に、サーマルヘッド５３の熱が伝わって印字される。
【００２１】
そして、印字された複写伝票用紙組９は、不図示の用紙カッターがついた上カバー５５とプリンタフレーム５０との隙間から、矢印５９の向きに排紙される。
【００２２】
なお、本実施形態では、ハンディターミナルは、紙センサ５４を用いて複写伝票用紙組９上のアイマーク８６（図３）を検出し、白（用紙の色）が黒のアイマークに変わり、更に次に白が紙センサに認識されたタイミングでアイマークを認識したと判定し、更に１５ミリを越えても白が続くと改ページ処理終了後も紙センサが白を認識できる状態となり、次ページがあると判定する。
【００２３】
図４は、本発明の複写伝票用紙組を印刷するためのサーマルプリンタ２の部分上面図であり、プラテンローラ５１と紙センサ５４の水平位置を説明するための図面である。
【００２４】
図４に示すように、プリンタフレーム５０の内部にはプラテンローラ５１とピンチローラ５２とが接する形で取付けられており、紙センサ５４はプラテンローラ５１の左端部分に近い位置に取付けられている。
【００２５】
なお、紙センサ５４の位置はハンディターミナルの機種により異なり、紙センサ５４をプラテンローラ５１の右端部分に近い位置に取付けることも可能である。
【００２６】
図５は、本発明の複写伝票用紙組を印刷するためのハンディターミナル及び外付けのサーマルプリンタの外観を示す図である。
【００２７】
図５に示すように、サーマルプリンタ２をハンディターミナル本体１に内蔵せずに外付けとしてもよい。
【００２８】
例えば、ケーブル２５を介してサーマルプリンタ２をハンディターミナル本体１に接続する実施形態や、ハンディターミナルから無線通信手段（赤外線通信やＢｌｕｅＴｏｏｔｈ等を含む）により印刷用データをサーマルプリンタ２に送信することも勿論可能である。
【００２９】
図３は、水道や電気やガスの検針員が使用する利用客に検針結果を通知するための検針通知伝票用紙綴りを示す斜視図である。
【００３０】
図３において、４０は検針通知伝票用紙綴りである。この検針通知伝票用紙綴り４０は、ハンディターミナル本体１に内蔵されたサーマルプリンタ２、又はハンディターミナル本体１と通信可能なサーマルプリンタ２で印字される。
【００３１】
なお、検針通知伝票用紙綴り４０は、複写伝票用紙組９しての検針通知伝票用紙組４０１を複数綴ったものであり、検針通知伝票用紙組４０１をその搬送方向と直交する辺（その搬送方向に垂直な一辺で他の検針通知伝票用紙組４０１と互いにミシン目８５を介して接続したものである（綴ったものである）。
【００３２】
本実施形態では、検針通知伝票用紙組４０１は、遮蔽用伝票用紙２０及び印字用伝票用紙３０の２枚の伝票用紙を重ねて構成される。
【００３３】
次に、図６と図７とを用いて、遮蔽用伝票用紙２０と印字用伝票用紙３０との説明を行う。
【００３４】
まず、図６を用いて、遮蔽用伝票用紙２０の説明を行う。
【００３５】
図６は、遮蔽用伝票用紙２０の表面及び裏面を示す平面図である。
【００３６】
遮蔽用伝票用紙２０は、どのような用紙でもよい。そのため、普通紙に限らず、例えば、グラシン紙、透明または半透明の用紙（透明性を有する用紙）も採用することができる。
【００３７】
遮蔽用伝票用紙２０の表面には、広告等を印刷可能な領域６１を備えている。
【００３８】
また、遮蔽用伝票用紙２０の裏面には、サーマルカーボン層６２が形成されている。
【００３９】
本発明の実施の形態では、このサーマルカーボン層に白色のサーマルカーボン層を用いるものとする。ここで、白色のサーマルカーボンを用いるのは、遮蔽用伝票用紙２０は、通常、白色の用紙が採用されるところ、表面にサーマルカーボンの色が透けて見えないようにするためである。
【００４０】
つまり、従来のように、黒色のサーマルカーボンを採用した場合、サーマルカーボンが形成されている領域が表面から透けて見えてしまうため、その領域だけ白色でなくなり、広告等を印刷する領域の背景として適さないという問題があったからである。
【００４１】
そこで、本発本発明の実施の形態においては、白色のサーマルカーボンを用いて、サーマルカーボン層を形成することとした。
【００４２】
ところで、白色のサーマルカーボンは、遮蔽用伝票用紙の表面に透けて見えなければ、全く同じ色でなくともよく、例えば、遮蔽用伝票用紙が白色の場合、略白色であってもよい。
【００４３】
また、遮蔽用伝票用紙にグラシン紙、透明または半透明の用紙を採用した場合に、白色のサーマルカーボンを採用することで、サーマルカーボンが生成される領域が表面に透け白色のキャンバスの役割を果たすという効果もある。
【００４４】
このように表面が白色になることにより、領域６１は、白色となるため、社名・ロゴ・商品等、色にこだわる場合でも、忠実に再現可能となり、様々なデザインの広告等の印刷を施すのに適した領域となる。
【００４５】
従って、例えば、スポンサーを募り、当該領域に広告をプレ印刷する等ことにより、遮蔽用伝票用紙のコストを下げるという目的に利用することも可能となる。
【００４６】
なお、従来も遮蔽用伝票用紙の２枚目の裏面には印刷可能領域は存在したが、複写式伝票用紙を手に取る人は、通常、１枚目の表面を上に向けた状態で手に取ることが多いことから、２枚目の裏面を見る機会が少なく、広告を印刷するスペースとしては、有効ではなかった。
【００４７】
そのため、本発明にかかる遮蔽用伝票用紙では、より広告効果の高い１枚目の表面に広告を印刷可能となるため、広告主にとってもより効果的な広告宣伝が可能となるという効果がある。
【００４８】
なお、本発明は、印字内容を遮蔽可能とし、かつ１枚目の表面を印刷可能領域とする複写伝票用紙組及びその印刷方法を提供することを目的とすることから、サーマルカーボンの色は、必ずしも白色に限られるものではなく、遮蔽用伝票用紙と同色・略同色であればよい。
【００４９】
つまり、遮蔽用伝票用紙の表面を印刷可能領域とするために、不自然に表面に透けて見えなければよいだけだからである。
【００５０】
点止部６３は、遮蔽用伝票用紙２０と印字用伝票用紙３０とを糊などで仮接着するためのものである。利用者は、これを剥がして印字用伝票用紙３０の印字内容を見ることとなる。
【００５１】
なお、点止部６３は、ハンディターミナルでの印刷時に紙詰まりを防止するため、複写の印字ずれを防止するために好適な間隔で複数配置されているものである。また、用紙両側縁部と直交する辺である用紙下端部で用紙両側縁部の近傍に仮接着による点止めが各々複数形成されている。
【００５２】
以上、遮蔽用伝票用紙２０の説明を終える。
【００５３】
続いて、印字用伝票用紙３０の説明を行う。
【００５４】
図７は、印字用伝票用紙３０の表面及び裏面を示す平面図である。
【００５５】
印字用伝票用紙３０は、どのような用紙でもよい。そのため、普通紙に限らず、例えば、感熱紙を採用することができる。
【００５６】
７１は、１枚目の遮蔽用伝票用紙２０の裏面に形成されるサーマルカーボン層に対応する領域を示している。
【００５７】
７２は、１枚目の遮蔽用伝票用紙２０の裏面に形成されるサーマルカーボンからの複写内容を識別可能に印字可能にする色の複写層である。白色のサーマルカーボンから複写される文字（７４）は、白色となるため、複写層の色としては、黒いや濃度の高い灰色を採用すると視認性がよい。なお、色は、識別可能にできればどのような色（有彩色）を採用してもよい。また、サーマルカーボンが有彩色の場合、その補色の色を採用することとなる。さらに、複写層は、サーマルカーボンから複写される印字内容を印字する領域であることから、複写層の領域は、７１に含まれている必要がる。また、複写層の領域は、一つに限らず、複数備えていても良い。
【００５８】
７３は、印字用伝票用紙３０に感熱紙を採用した場合において、１枚目のサーマルカーボンからの複写とは別に、サーマルヘッダの熱で印字した文字を示している。
【００５９】
７４は、複写された白色の文字を示している。
【００６０】
７５は、プレ印刷した文字を示している。７１の領域内であってもすべて複写層を形成する必要はなく、利用の形態に応じて複写する文字とは異なる文字を印字しておいても良い。
【００６１】
７６は、印字用伝票用紙３０の裏面である。通常、何も印刷されていないため広告等を印刷する領域として活用することはできるが、上述した通り、広告効果は低い領域である。
【００６２】
なお、点止部６３は、遮蔽用伝票用紙２０に説明した通りである。
【００６３】
以上、印字用伝票用紙３０の説明を終える。
【００６４】
以上、説明した通り、本発明によれば、印字内容を遮蔽可能とし、かつ１枚目の表面を印刷可能領域とする複写伝票用紙組及びその印刷方法を提供することが可能となる。
【符号の説明】
【００６５】
１      ハンディターミナル本体
２      サーマルプリンタ
３      ＯＮ／ＯＦＦスイッチ
４      キーボード
５      液晶ディスプレイ
６      バッテリー収納部
７      メモリカード収納部
９      複写用紙伝票組
１２    ハンドル
２０    遮蔽用伝票用紙
３０    印字用伝票用紙
５０    プリンタフレーム
５１    プラテンローラ
５２    ピンチローラ
５３    サーマルヘッド
５４    紙センサ
５５    外カバー
５６    用紙供給部
【図１】
2013018223.tif 000003
【図２】
2013018223.tif 000004
【図３】
2013018223.tif 000005
【図４】
2013018223.tif 000006
【図５】
2013018223.tif 000007
【図６】
2013018223.tif 000008
【図７】
2013018223.tif 000009